(57)【要約】【課題】通信伝送ユニットおよび撮像ユニットを有する通信撮像統合モジュールを提供する。【解決手段】通信撮像統合モジュールは、接続インターフェースユニット１０を有し、接続インターフェースユニット１０を介し、携帯型コンピュータに接続される基板２と、基板２上に配置され、接続インターフェースユニット１０に電気的に接続される撮像ユニット４と、基板２に配置され、通信アンテナ６２を有する通信接続ユニット６と、基板２に配置され、Ｂｌｕｅｔｏｏｔｈ（登録商標）アンテナ８２を有するＢｌｕｅｔｏｏｔｈ通信ユニット８とを含む。【選択図】図１
2011250387.tif 000002
【特許請求の範囲】
【請求項１】
携帯型コンピュータに使用される通信撮像統合モジュールであって、
接続インターフェースユニットを有し、前記接続インターフェースユニットを介し、前記携帯型コンピュータに接続される基板と、
前記基板上に配置され、前記接続インターフェースユニットに電気的に接続される撮像ユニットと、
前記基板に配置され、通信アンテナを有する通信接続ユニットと、
前記基板に配置され、Ｂｌｕｅｔｏｏｔｈ（登録商標）アンテナを有するＢｌｕｅｔｏｏｔｈ通信ユニットと、を含むことを特徴とする通信撮像統合モジュール。
【請求項２】
前記撮像ユニットは、光学部材および撮像チップを含み、前記撮像チップは、前記光学部材を介し、画像を撮像することを特徴とする請求項１記載の通信撮像統合モジュール。
【請求項３】
前記撮像チップは、ＣＣＤチップ、ＣＭＯＳチップまたはそれらの組み合わせであることを特徴とする請求項２記載の通信撮像統合モジュール。
【請求項４】
前記通信接続ユニットは、送信端および受信端を有する通信チップを含み、前記通信接続ユニットには、前記通信アンテナが電気的に接続されることを特徴とする請求項１記載の通信撮像統合モジュール。
【請求項５】
前記通信接続ユニットは、ＷＩＦＩ（登録商標）、ＩＥＥＥ  ８０２．１１、ＩＥＥＥ  ８０２．１６、ＷＩＭＡＸ（登録商標）、ＣＤＭＡ、ＷＣＤＭＡ、ＧＳＭ、ＨＳＤＰＡ、ＨＳＵＰＡ、Ｂｌｕｅｔｏｏｔｈ、ＵＷＢおよびＩＥＥＥ  ８０２．１５．４（Ｚｉｇｂｅｅ（登録商標））からなるグループから選択されることを特徴とする請求項４記載の通信撮像統合モジュール。
【請求項６】
前記Ｂｌｕｅｔｏｏｔｈ通信ユニットは、Ｂｌｕｅｔｏｏｔｈ送信端およびＢｌｕｅｔｏｏｔｈ受信端を有するＢｌｕｅｔｏｏｔｈ通信チップを含み、前記Ｂｌｕｅｔｏｏｔｈ通信ユニットには、前記Ｂｌｕｅｔｏｏｔｈアンテナが電気的に接続されることを特徴とする請求項１記載の通信撮像統合モジュール。
【請求項７】
前記通信アンテナまたは前記Ｂｌｕｅｔｏｏｔｈアンテナの少なくとも１つは、前記基板上に貼設されることを特徴とする請求項１記載の通信撮像統合モジュール。
【請求項８】
電圧調整ユニットをさらに含み、
前記電圧調整ユニットは、前記撮像ユニット、前記通信接続ユニットおよび前記Ｂｌｕｅｔｏｏｔｈ通信ユニットに電気的に接続され、前記撮像ユニット、前記通信接続ユニットおよび前記Ｂｌｕｅｔｏｏｔｈ通信ユニットをそれぞれ駆動することを特徴とする請求項１記載の通信撮像統合モジュール。
【請求項９】
前記接続インターフェースユニットは、ＵＳＢ、ＰＣＩ  Ｅｘｐｒｅｓｓ（登録商標）、ＭｉｎｉＰＣＩ、ｅＳＡＴＡ、ＳＡＴＡおよびＦＩＲＥ  ＷＩＲＥ（登録商標）からなるグループから選択されることを特徴とする請求項１記載の通信撮像統合モジュール。
【発明の詳細な説明】
【技術分野】
【０００１】
本発明は、通信撮像統合モジュールに関し、特に、通信伝送ユニットおよび撮像ユニットを有する通信撮像統合モジュールに関する。
【背景技術】
【０００２】
一般に、従来の携帯型コンピュータは、軽量化および優れた携帯性を得るために、一体成形（ａｌｌ−ｉｎ−ｏｎｅ）の方式により、各種のチップがマザーボード上に統合される。しかし、前述の各チップは、異なるメーカから供給されるため、携帯型コンピュータ内の各チップを統合したとき、互換性を達成し、各チップが互いに干渉し合わないようにするには、新製品を研究開発する度に、回路を新たにレイアウトする必要がある。
【０００３】
上述の新製品を研究開発する度に、回路を新たにレイアウトする必要があるという問題を解決するために、特許文献１において、ＵＳＢインターフェースを有する電子素子が提供されている。特許文献１のＵＳＢインターフェースを有する電子素子は、ＵＳＢのホットプラグ機能を利用して電子素子の取付を行うものであり、これにより、回路設計の難易度を下げることができる。確かに、特許文献１を利用すると、回路設計の難易度を下げることができる。しかし、現在の趨勢から述べると、ユーザが求めるものは、機能を備える電子素子をユーザ自らがＵＳＢを介して外付けするものではなく、携帯型コンピュータの製品内部にすでに多くの機能（例えば、無線ネットワーク機能）が内蔵されたものである。また、一般に、各ＵＳＢ装置内の機能は、それぞれ、異なるプログラムメーカによって提供されるものであるため、１つのＵＳＢ装置は、１つの機能（例えば、無線伝送回路モジュール）しか持つことができない。従って、仮に、ユーザが他の機能を必要とする場合、上述の携帯型コンピュータは、ＵＳＢ装置を接続するために、多くのＵＳＢポートを提供する必要がある。即ち、現在、頻繁に使用されるＷＩＦＩ（登録商標）、Ｂｌｕｅｔｏｏｔｈ（登録商標）、ＷｉＭＡＸ（登録商標）などの無線通信規格を同時に使用するには、少なくとも３、４個以上のＵＳＢポートを増設する必要があるが、これはユーザにとって非常に不便である。
【先行技術文献】
【特許文献】
【０００４】
【特許文献１】台湾実用新案登録第３６０４７５号公報（２００９年７月１日公開）
【発明の概要】
【発明が解決しようとする課題】
【０００５】
本発明の第１の目的は、携帯型コンピュータに使用され、同一の基板上に撮像ユニット、通信接続ユニットおよびＢｌｕｅｔｏｏｔｈ通信ユニットが配置された通信撮像統合モジュールを提供することにある。
【０００６】
本発明の第２の目的は、Ｂｌｕｅｔｏｏｔｈ通信ユニットを含む少なくとも２種類の無線通信伝送ユニットと、撮像ユニットと、を含む通信撮像統合モジュールを提供することにある。
【課題を解決するための手段】
【０００７】
上記課題を解決するために、本発明の第１の形態によれば、携帯型コンピュータに使用される通信撮像統合モジュールであって、接続インターフェースユニットを有し、前記接続インターフェースユニットを介し、前記携帯型コンピュータに接続される基板と、前記基板上に配置され、前記接続インターフェースユニットに電気的に接続される撮像ユニットと、前記基板に配置され、通信アンテナを有する通信接続ユニットと、前記基板に配置され、Ｂｌｕｅｔｏｏｔｈ（登録商標）アンテナを有するＢｌｕｅｔｏｏｔｈ通信ユニットと、を含むことを特徴とする通信撮像統合モジュールが提供される。
【０００８】
また、前記撮像ユニットは、光学部材および撮像チップを含み、前記撮像チップは、前記光学部材を介し、画像を撮像することが好ましい。
【０００９】
また、前記撮像チップは、ＣＣＤチップ、ＣＭＯＳチップまたはそれらの組み合わせであることが好ましい。
【００１０】
また、前記通信接続ユニットは、送信端および受信端を有する通信チップを含み、前記通信接続ユニットには、前記通信アンテナが電気的に接続されることが好ましい。
【００１１】
また、前記通信接続ユニットは、ＷＩＦＩ（登録商標）、ＩＥＥＥ  ８０２．１１、ＩＥＥＥ  ８０２．１６、ＷＩＭＡＸ（登録商標）、ＣＤＭＡ、ＷＣＤＭＡ、ＧＳＭ、ＨＳＤＰＡ、ＨＳＵＰＡ、Ｂｌｕｅｔｏｏｔｈ、ＵＷＢおよびＩＥＥＥ  ８０２．１５．４（Ｚｉｇｂｅｅ（登録商標））からなるグループから選択されることが好ましい。
【００１２】
また、前記Ｂｌｕｅｔｏｏｔｈ通信ユニットは、Ｂｌｕｅｔｏｏｔｈ送信端およびＢｌｕｅｔｏｏｔｈ受信端を有するＢｌｕｅｔｏｏｔｈ通信チップを含み、前記Ｂｌｕｅｔｏｏｔｈ通信ユニットには、前記Ｂｌｕｅｔｏｏｔｈアンテナが電気的に接続されることが好ましい。
【００１３】
また、前記通信アンテナまたは前記Ｂｌｕｅｔｏｏｔｈアンテナの少なくとも１つは、前記基板上に貼設されることが好ましい。
【００１４】
また、電圧調整ユニットをさらに含み、前記電圧調整ユニットは、前記撮像ユニット、前記通信接続ユニットおよび前記Ｂｌｕｅｔｏｏｔｈ通信ユニットに電気的に接続され、前記撮像ユニット、前記通信接続ユニットおよび前記Ｂｌｕｅｔｏｏｔｈ通信ユニットをそれぞれ駆動することが好ましい。
【００１５】
また、前記接続インターフェースユニットは、ＵＳＢ、ＰＣＩ  Ｅｘｐｒｅｓｓ（登録商標）、ＭｉｎｉＰＣＩ、ｅＳＡＴＡ、ＳＡＴＡおよびＦＩＲＥ  ＷＩＲＥ（登録商標）からなるグループから選択されることが好ましい。
【発明の効果】
【００１６】
本発明の通信撮像統合モジュールは、接続インターフェースユニットを介し、携帯型コンピュータに通信伝送機能および撮像機能を提供する。通信伝送は、少なくともＢｌｕｅｔｏｏｔｈ通信規格を含む２種類以上の無線通信伝送規格を含む。本発明の通信撮像統合モジュールにより、製造、テストおよび購入を１度で済ませることができる上、製造コストを有効に低減することができる。さらに、携帯型コンピュータの回路をレイアウトするときに必要な回路基板の面積を低減することができる。
【図面の簡単な説明】
【００１７】
【図１】本発明の第１実施形態による通信撮像統合モジュールを示す模式図である。
【図２】本発明の第２実施形態による通信撮像統合モジュールを示す模式図である。
【図３】本発明の第３実施形態による通信撮像統合モジュールを示す斜視図である。
【発明を実施するための形態】
【００１８】
以下、本発明の実施形態について図に基づいて説明する。なお、これによって本発明が限定されるものではない。
【００１９】
（第１実施形態）
図１を参照する。図１は、本発明の第１実施形態による通信撮像統合モジュールを示す模式図である。本実施形態において、通信撮像統合モジュール１は、基板２、撮像ユニット４、通信接続ユニット６およびＢｌｕｅｔｏｏｔｈ通信ユニット８を含む。
【００２０】
基板２は、回路モジュール２０との接続に使用される接続インターフェースユニット１０を含む。接続インターフェースユニット１０は、ＵＳＢ、ＰＣＩ  Ｅｘｐｒｅｓｓ（登録商標）、ＭｉｎｉＰＣＩ、ｅＳＡＴＡ、ＳＡＴＡおよびＦＩＲＥ  ＷＩＲＥ（登録商標）からなるグループから選択される。回路モジュール２０は、マザーボード回路である。
【００２１】
撮像ユニット４は、基板２に配置される。一般に、撮像ユニット４は、外部の画像を撮像し、接続インターフェースユニット１０を介し、撮像した画像を回路モジュール２０に伝送する。撮像ユニット４は、光学部材４２および撮像チップ４４を含む。撮像チップ４４は、光学部材４２を介して画像を撮像する。撮像チップ４４は、ＣＣＤチップ、ＣＭＯＳチップまたはそれらの組み合わせとすることができる。
【００２２】
通信接続ユニット６は、基板２に配置される。通信接続ユニット６は、通信撮像統合モジュール１が通信接続ＣＬを行うのに使用される通信アンテナ６２を含み、無線通信の方式により、データ、画像または制御信号の伝送を行う。これにより、回路モジュール２０は、基板２上に位置する通信接続ユニット６の通信アンテナ６２を介し、通信撮像統合モジュール１の外部と、双方向無線通信を行うことができる。通信接続ユニット６は、無線通信技術（ＷＩＦＩ（登録商標）、Ｚｉｇｂｅｅ（登録商標））、無線ＬＡＮ規格（ＩＥＥＥ  ８０２．１１、ＩＥＥＥ  ８０２．１６、ＩＥＥＥ  ８０２．１５．４）、ＷＩＭＡＸ（登録商標）、ＣＤＭＡ、ＷＣＤＭＡ、ＧＳＭ、ＨＳＤＰＡ、ＨＳＵＰＡ、ＢｌｕｅｔｏｏｔｈおよびＵＷＢからなるグループから選択される。また、通信接続ユニット６は、送信端６４２および受信端６４４を有する通信チップ６４を含む。また、通信接続ユニット６には、通信アンテナ６２が電気的に接続される。通信アンテナ６２は、基板２上に貼設されるか、或いは、基板２上以外の位置に配置される。例えば、通信アンテナ６２は、マイクロストリップライン（ｍｉｃｒｏｓｔｒｉｐｌｉｎｅ）の方式により、基板２上にレイアウトされるか、或いは、浮遊状態で通信チップ６４に接続される。
【００２３】
Ｂｌｕｅｔｏｏｔｈ通信ユニット８は、基板２に配置される。Ｂｌｕｅｔｏｏｔｈ通信ユニット８は、通信撮像統合モジュール１がＢｌｕｅｔｏｏｔｈ通信接続ＢＣＬを行うのに使用されるＢｌｕｅｔｏｏｔｈアンテナ８２を含む。Ｂｌｕｅｔｏｏｔｈ通信ユニット８は、Ｂｌｕｅｔｏｏｔｈ送信端８４２およびＢｌｕｅｔｏｏｔｈ受信端８４４を有するＢｌｕｅｔｏｏｔｈ通信チップ８４を含む。Ｂｌｕｅｔｏｏｔｈ通信ユニット８には、Ｂｌｕｅｔｏｏｔｈアンテナ８２が電気的に接続される。Ｂｌｕｅｔｏｏｔｈアンテナ８４は、基板２上に貼設されるか、或いは、基板２上以外の位置に配置される。
【００２４】
上述の通信撮像統合モジュール１と回路モジュール２０とが電気的に接続されることにより、有効にモジュール化された設計を提供することができる。これにより、製造コストを有効に低減することができる上、回路モジュール２０の回路をレイアウトするときに必要な回路基板の面積を低減することができる。
【００２５】
（第２実施形態）
図２を参照する。図２は、本発明の第２実施形態による通信撮像統合モジュールを示す模式図である。本実施形態において、通信撮像統合モジュール１’は、基板２、撮像ユニット４、通信接続ユニット６およびＢｌｕｅｔｏｏｔｈユニット８を含む以外に、電圧調整ユニット１２をさらに含む。電圧調整ユニット１２は、基板２上に配置される。また、電圧調整ユニット１２は、撮像ユニット４、通信接続ユニット６およびＢｌｕｅｔｏｏｔｈ通信ユニット８に電気的に接続され、撮像ユニット４、通信接続ユニット６およびＢｌｕｅｔｏｏｔｈ通信ユニット８をそれぞれ駆動する。また、電圧調整ユニット１２は、撮像ユニット４、通信接続ユニット６およびＢｌｕｅｔｏｏｔｈ通信ユニット８に、それぞれ異なる電圧レベルの電源を供給することができる。ここで、電圧調整ユニット１２は、撮像ユニット４、通信接続ユニット６およびＢｌｕｅｔｏｏｔｈ通信ユニット８のそれぞれに、同時に電源を供給するため、従来技術のように、撮像ユニット４、通信接続ユニット６およびＢｌｕｅｔｏｏｔｈ通信ユニット８のそれぞれに、異なる電圧ユニットから電源を供給する必要がない。これにより、電源を供給するのに必要な素子を大幅に低減することができる上、電源ラインをレイアウトする面積を減少させることができる。
【００２６】
さらに、本実施形態においては、通信撮像統合モジュール１の外部の電源（図示せず）から撮像ユニット４、通信接続ユニット６およびＢｌｕｅｔｏｏｔｈ通信ユニット８を駆動するのに必要な電圧を供給することができる。或いは、接続インターフェースユニット１０を介し、必要な電圧を受信することができる（例えば、ＵＳＢインターフェースから約５ボルトの電圧が供給される）。
【００２７】
（第３実施形態）
図３を参照する。図３は、本発明の第３実施形態による通信撮像統合モジュールを示す斜視図である。本実施形態において、通信撮像統合モジュール１は、携帯型コンピュータ３０内に嵌設される。携帯型コンピュータ３０は、ケーシング３２、モニタ３４、キーボード３６およびマザーボード３８を含む。ケーシング３２は、通信撮像統合モジュール１およびマザーボード３８を被覆する。通信撮像統合モジュール１は、携帯型コンピュータ３０中のモニタ３４の周縁の近くに配置される。本実施形態においては、モニタ３４の上方に配置される。通信撮像統合モジュール１上には、基板２、撮像ユニット４、通信接続ユニット６およびＢｌｕｅｔｏｏｔｈ通信ユニット８が配置される。また、通信撮像統合モジュール１は、基板２上の接続インターフェースユニット１０を介し、マザーボード３８に電気的に接続される。これにより、マザーボード３８は、通信撮像統合モジュール１により、通信接続、Ｂｌｕｅｔｏｏｔｈ通信接続および画像の撮像を行うことができる。
【００２８】
本発明の通信撮像統合モジュールは、携帯型コンピュータを設計する度に、撮像ユニット、通信接続ユニットおよびＢｌｕｅｔｏｏｔｈ通信ユニットを新たに設計する必要がない。また、通信撮像統合ユニットにより、設計時間を短縮できる以外に、システム業者に通信撮像統合モジュールを販売提供し、システム業者は、通信撮像統合モジュールをそのまま使用することができる。また、通信撮像統合モジュールは、モニタの一方の側部に配置されるため、優れた通信接続およびＢｌｕｅｔｏｏｔｈ通信接続を提供することができる。また、通信接続ユニットおよびＢｌｕｅｔｏｏｔｈ通信ユニットを基板の両端にそれぞれ配置することにより、電磁波干渉の問題を解決することができる。
【００２９】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３０】
１  通信撮像統合モジュール
１’  通信撮像統合モジュール
２  基板
４  撮像ユニット
６  通信接続ユニット
８  Ｂｌｕｅｔｏｏｔｈ通信ユニット
１０  接続インターフェースユニット
１２  電圧調整ユニット
２０  回路モジュール
３０  携帯型コンピュータ
３２  ケーシング
３４  モニタ
３６  キーボード
３８  マザーボード
４２  光学部材
４４  撮像チップ
６２  通信アンテナ
６４  通信チップ
８２  Ｂｌｕｅｔｏｏｔｈアンテナ
８４  Ｂｌｕｅｔｏｏｔｈ通信チップ
６４２  送信端
６４４  受信端
８４２  Ｂｌｕｅｔｏｏｔｈ送信端
８４４  Ｂｌｕｅｔｏｏｔｈ受信端
ＣＬ  通信接続
ＢＣＬ  Ｂｌｕｅｔｏｏｔｈ通信接続
【図１】
2011250387.tif 000003
【図２】
2011250387.tif 000004
【図３】
2011250387.tif 000005